(57)【要約】【課題】従来より長期の使用に耐える固定機構を備え、製品寿命の長期化が可能な浴槽用手摺の提供。【解決手段】浴槽用手摺において、浴槽側壁の上縁部に嵌められ固定され、手摺部材が装着される取付本体部が、互いに略平行に対面する外板と内板とを有する側断面形状下向き略コの字状のものであり、浴槽側壁の外壁面に当接する外板との間で浴槽側壁を挟持するように浴槽側壁の内壁面を押圧する押圧板と、一端側で前記内板を貫通すると共に他端側で押圧板に対して略垂直に取り付けられた押圧板支持用ネジ部材と、該ネジ部材をその一端側から受け入れて螺合するナット部と、該ナット部を内部に収容して該ナット部と一体に回転できるように前記内板に取り付けられたハンドルとを有し、ナット部は、内板を貫通したネジ部材の一端側の最大突出長以上に定められた軸長の雌ネジ孔を有すると共に、ハンドルとの一体成形によりハンドルの内部に固定されているものとした。【選択図】      図２
2005007011.tif 000002
【特許請求の範囲】
【請求項１】
互いに略平行に対面する外板と内板とを有すると共に側断面形状が下向き略コの字状で浴槽側壁の上縁部に嵌められて浴槽側壁に固定される取付本体部と、該取付本体部に装着される手摺部材とを備えた浴槽用手摺において、
前記取付本体部は、浴槽側壁の外壁面に当接する外板との間で浴槽側壁を挟持するように浴槽側壁の内壁面を押圧する押圧板と、一端側で前記内板を貫通すると共に他端側で前記押圧板に対して略垂直に取り付けられた押圧板支持用ネジ部材と、該ネジ部材をその一端側から受け入れて螺合するナット部と、該ナット部を内部に収容して該ナット部と一体に回転できるように前記内板に取り付けられたハンドルとを有し、
前記ナット部が、予め定められた軸長の雌ネジ孔を有すると共に前記ハンドルとの一体成形によりハンドルの内部に固定されており、前記雌ネジ孔の軸長が、前記内板を貫通した前記ネジ部材の一端側の最大突出長以上に定められていることを特徴とする浴槽用手摺。
【請求項２】
前記取付本体部は、外板と内板の上部同士が互いに分離可能に連結される連結部を有し、該連結部が、外板と内板の間隔を調節するために両板の上部同士の連結位置を変更可能な連結調節機構を有することを特徴とする請求項１に記載の浴槽用手摺。
【請求項３】
前記連結調節機構が、前記外板と内板の上部に各々延設されて互いに上下に重なる外板連結板および内板連結板と、これら連結板に前記間隔方向へ所定間隔で列設された複数個のネジ孔と、前記両連結板が重なった状態で互いに合致した上下のネジ孔に螺合固定される連結ボルトとを備えていることを特徴とする請求項２に記載の浴槽用手摺。
【請求項４】
前記手摺部材は、前記取付本体部が浴槽側壁に固定された状態で該取付本体部に装着された際に浴槽側壁の上縁部よりも上方に位置する把持部を有し、前記取付本体部が、前記把持部の高さ位置を調節可能に前記手摺部材を装着する装着部を外板に備えていることを特徴とする請求項１〜３のいずれか１項に記載の浴槽用手摺。
【請求項５】
前記内板に固定される浴槽内用取っ手をさらに備えていることを特徴とする請求項１〜４のいずれか１項に記載の浴槽用手摺。
【発明の詳細な説明】
【０００１】
【発明が属する技術分野】
本発明は、浴槽の側壁に着脱可能に取り付けられる浴槽用手摺に関するものである。
【０００２】
【従来の技術】
近年の住宅では、高齢者対策としてバリアフリー構造が求められており、浴槽においても高い側壁を跨いで入るのは高齢者にとって困難であることから、側壁を低めにし、手摺りが取り付けられている浴槽の設置が増加している。
【０００３】
しかしながら、新たに建築したり改築される住宅の場合以外では、浴槽を取り替えるのは容易でなく、既存の浴槽に高齢者対策を簡便に施せるものが求められる。そこで従来から、浴槽の側壁に簡単に設置できる着脱可能な浴槽用手摺が用いられている。
【０００４】
この浴槽用手摺としては、例えば、浴槽側壁の上縁部に嵌め込んで固定できる取付部に、把持部を有する手摺部材が装着されたものが一般的である。このような浴槽用手摺では、取付部が浴槽側壁に固定された状態において把持部が浴槽側壁上縁の上方に位置付けられ、浴槽を跨ぐときにこの把持部に掴まって体を支えることのできる構成となっている（例えば、特許文献１，特許文献２参照）。
【０００５】
このような浴槽用手摺の取付部の浴槽側壁への固定機構としては、例えば図５（ａ）に示すような、側断面形状が下向きコの字形状の本体部１００を浴槽側壁３００の上縁部に嵌めて、その互いに略平行に対面する外足板１０１と内足板１０２との間の浴槽側壁３００を挟持することによって本体部１００を浴槽に固定する構成のものが簡便なものとして挙げられる。
【０００６】
これは、外足板１０１を浴槽側壁３００の外壁面３０１に当接させ、内足板１０２にナット１０５とネジ棒１０４を介して支持されている押圧板１０３で浴槽側壁３００の内壁面３０２を押圧することによって浴槽側壁３００を外足板１０１と押圧板１０３とで挟持するものである。
【０００７】
この押圧板１０３にはネジ棒１０４が他端側で垂直に固定されていると共に、このネジ棒１０４の一端側が、内足板１０２を貫通状態で回転可能に取り付けられているナット１０５に螺合しており、このナット１０５に連結ピン１０７を介してハンドル１０６が固定されている。このハンドル１０６の内部には、ナット１０５から突出するネジ棒１０４の一端側を受け入れるための空洞部１０９が形成されている。
【０００８】
従って、図５（ｂ）に示すように、ハンドル１０６を回すことによって、ナット１０５が回転し、これに螺合するネジ棒１０４が相対的に水平方向に移動させられ、それに伴って押圧板１０３の外足板１０１に対する間隔が変化する。即ち、押圧板１０３を外足板１０１に対して最大間隔となる状態にしておいて本体部１００を浴槽側壁３００の上縁部に嵌めてから、押圧板１０３が浴槽側壁の内壁面３０２に当接して適度な押圧状態が得られるまでハンドル１０６を回しつづけるだけで、手摺の浴槽への装着が完了し、またハンドル１０６を逆回しにして押圧板１０３の押圧状態を緩めるだけで速やかに取り外せる。
【０００９】
このような浴槽用手摺の固定機構であれば、着脱が簡便であると共に、浴槽内の突出部はハンドル１０６の高さ分だけであり、ハンドル１０６を回転させてもその突出量は変わらないため、比較的幅の狭い浴槽においても使用に支障はない。
【００１０】
【特許文献１】
実用新案登録第２５４７４８７号公報
【特許文献２】
特開２００２−２０９７８１号公報
【００１１】
【発明が解決しようとする課題】
しかしながら、上記のような固定機構では、ハンドルをナットに固定しなければならず、通常それは連結ピン１０７などの小さい連結部品によるしかなかった。従って、ナットを回転させるための負荷がどうしてもこの連結部品にかかってしまうため、この連結部品に最も故障や破損が生じやすく、ガタついたりまた連結部品が折れてしまえばハンドルは空回りして手摺の装着ができなくなるなど、長期の使用に耐えない危険性があった。
【００１２】
また、ハンドル内に空洞部１０９などのような水が溜まり易い空間が形成されていると、この溜まった水がナットやネジなどの金属部品周りに錆を生じ易くする原因となり、部品および固定機構自体の寿命を短くする問題もあった。
【００１３】
本発明の目的は、上記問題点に鑑み、従来より長期の使用に耐える固定機構を備え、製品寿命の長期化が可能な浴槽用手摺を提供することにある。本発明は、特に錆びにくく故障し難い固定機構を備えた浴槽用手摺の提供を目的とする。また本発明は、着脱操作がよりスムーズに行える浴槽用手摺の提供を目的とする。
【００１４】
【課題を解決するための手段】
上記目的を達成するため、請求項１に記載の発明に係る浴槽用手摺は、互いに略平行に対面する外板と内板とを有すると共に側断面形状が下向き略コの字状で浴槽側壁の上縁部に嵌められて浴槽側壁に固定される取付本体部と、該取付本体部に装着される手摺部材とを備えた浴槽用手摺において、前記取付本体部は、浴槽側壁の外壁面に当接する外板との間で浴槽側壁を挟持するように浴槽側壁の内壁面を押圧する押圧板と、一端側で前記内板を貫通すると共に他端側で前記押圧板に対して略垂直に取り付けられた押圧板支持用ネジ部材と、該ネジ部材をその一端側から受け入れて螺合するナット部と、該ナット部を内部に収容して該ナット部と一体に回転できるように前記内板に取り付けられたハンドルとを有し、前記ナット部が、予め定められた軸長の雌ネジ孔を有すると共に前記ハンドルとの一体成形によりハンドルの内部に固定されており、前記雌ネジ孔の軸長が、前記内板を貫通した前記ネジ部材の一端側の最大突出長以上に定められていることを特徴とするものである。
【００１５】
また、請求項２に記載の発明に係る浴槽用手摺は、請求項１に記載の浴槽用手摺において、前記取付本体部は、外板と内板の上部同士が互いに分離可能に連結される連結部を有し、該連結部が、外板と内板の間隔を調節するために両板の上部同士の連結位置を変更可能な連結調節機構を有するものである。
【００１６】
さらに請求項３に記載の発明に係る浴槽用手摺は、請求項２に記載の浴槽用手摺において、前記連結調節機構が、前記外板と内板の上部に各々延設されて互いに上下に重なる外板連結板および内板連結板と、これら連結板に前記間隔方向へ所定間隔で列設された複数個のネジ孔と、前記両連結板が重なった状態で互いに合致した上下のネジ孔に螺合固定される連結ボルトとを備えていることを特徴とするものである。
【００１７】
また、請求項４に記載の発明に係る浴槽用手摺は、請求項１〜３のいずれか１項に記載の浴槽用手摺において、前記手摺部材は、前記取付本体部が浴槽側壁に固定された状態で該取付本体部に装着された際に浴槽側壁の上縁部よりも上方に位置する把持部を有し、前記取付本体部が、前記把持部の高さ位置を調節可能に前記手摺部材を装着する装着部を外板に備えているものである。
【００１８】
また、請求項５に記載の発明に係る浴槽用手摺は、請求項１〜４のいずれか１項に記載の浴槽用手摺において、前記内板に固定される浴槽内用取っ手をさらに備えているものである。
【００１９】
【発明の実施の形態】
本発明の浴槽用手摺は、浴槽側壁の上縁部に嵌められて固定され取付本体部が、互いに略平行に対面するように上部で一体となる外板と内板とで側断面形状下向き略コの字状に構成されたものであり、浴槽側壁の外壁面に当接する外板との間で浴槽側壁を挟持するように浴槽側壁の内壁面を押圧する押圧板が、内板を貫通する一端側がハンドル内部に収容されているナット部に受け入れられて螺合されるネジ部材の他端側に取り付けられて支持されるものであるが、内板を貫通したネジ部材の一端側の最大突出長以上に定められた軸長の雌ネジ孔を有するナット部が、ハンドルとの一体成形によりハンドル内部の固定されているものである。
【００２０】
従って、本発明の浴槽用手摺においては、ハンドル内部に一体成形により固定されているナット部がハンドルと一体に回転するものであり、従来のようなハンドルとナットを連結するピン部材などのナットを回転させる際に負荷が集中して破損が生じ易い介在部品が必要ないため、ハンドルとナット部との間にガタツキが生じたり両部材の連結が断絶してハンドルが空回りする故障も避けられる。
【００２１】
さらに、内板を貫通して突出する押圧板支持用ネジ部材の一端側を受け入れて螺合するナット部は、ハンドル内部に一体成形により収容固定されたものであるので、ハンドル内部に形成される空間はナット部の雌ネジ孔だけであって、従来のナット周辺にネジ部材を受け入れるための空洞部などのようなナット部やネジ部材等の金属部品に容易に錆を生じせしめる水が溜まり易い大きな空間が形成されることもない。
【００２２】
なお、ハンドル内部へのナット部の一体成形による収容固定は、例えば、合成樹脂製のハンドルを射出成形法などの金型を用いて形成する際に、予め金型内に所定のナット部材をセットしておいて成型品に埋め込まれるインサート成形法を利用することによって簡便に得ることができる。この場合、所定軸長の雌ネジ孔を備えたキャップナット部材を用いるのが簡便であるが、これに限らず、例えば、円筒状ナット部材など、その雌ネジ孔内を塞ぐことなく開口端がハンドルの成形樹脂部材で塞がれることによって実質的にキャップナット形状が得られ、ハンドル内に形成される空間が雌ネジ孔のみで済むように成形可能なものであれば利用可能である。
【００２３】
このように、本浴槽用手摺は、取付本体部の固定機構を構成するハンドルやナット部、ネジ部材等に故障や錆びなどが生じ難い長期の使用に耐えるものであり、従来よりその寿命の長期化が実現できるものである。
【００２４】
しかも、本浴槽用手摺においては、ナット部に形成された雌ネジ孔は、その軸長が押圧板支持用ネジ部材の内板を貫通して突出する一端側の最大突出長以上に設定されているため、ネジ部材は突出部全体が雌ネジに接して螺合できるので、ネジ部材のナット部に対する螺進退は常に滑らかに進行し、浴槽側壁を押圧挟持するためのハンドル回転による押圧板の移動調整は非常にスムーズに行われる。
【００２５】
また本発明では、押圧板への押圧支持用ネジ部材の取り付けは、押圧板に対して垂直に固定されるものに限らない。これは、浴槽によっては側壁の厚みが均一でなく、浴槽側壁の上縁部で外壁面と内壁面とが平行でないものがあるためである。そこで、押圧板は押圧支持用ネジ部材に対して若干首振りできるような取付状態とすることによって、押圧板は外板に対して平行な対面状態に固定されることなく傾動できるため、厚みが均一でない浴槽側壁に対しても外板と押圧板との間で良好に押圧挟持でき、常に取付本体部の浴槽側壁上縁部への安定した固定状態が確保できる。
【００２６】
なお、取付本体部を浴槽側壁に固定する際に、外板を浴槽側壁外壁面に当接させて押圧板で浴槽側壁内壁面を押圧するという機構が採用されるのは、一般的な浴槽では、側壁が中空で内壁面に比べて外壁面側が強度的に弱いものが多いためである。
【００２７】
しかし、外壁面が押圧挟持に充分対応できる強度を持つものであれば外壁面側を押圧板で押圧することも可能となる。このような場合、本発明の浴槽用手摺では、取付本体部は下向きコの字形状であり、向きを変えて浴槽側壁上縁部に嵌めるだけで、外板を浴槽側壁の内壁面に当接させた状態で押圧板を浴槽側壁外壁面に押圧させ、取付本体部の浴槽側壁への固定が行えるので、浴槽側壁の内外いずれの側からの押圧挟持による固定できるものであり、内壁面に対してのみ押圧を行う機構に限定されるものではない。
【００２８】
また、このようなどちら側からも押圧できる機構であることから、取付部本体に装着される手摺部材や取っ手なども、実際の固定向きに応じて外板と内板のどちらでも装着できるようなものとしておいても良い。
【００２９】
以上のような構成を備えた本浴槽用手摺では、下向き略コの字形状の取付本体部を嵌めることのできる厚みを有する浴槽側壁であれば、押圧板の位置を調節して側壁幅の異なる各種浴槽に対応して固定することができる。
【００３０】
下向き略コの字形状の取付本体部の構成としては、例えば一枚金属板をコの字状に折り曲げて外板と内板とを連続的に設ける一部材構成が最も簡便である。しかしながら、取付本体部の外板と内板との間隔が適用可能な浴槽側壁厚みの最大限度となるため、より広範に各種厚みの浴槽に対応させるためには、例えば、互いに外板と内板の間隔の異なる取付本体部を製造しておき、数種の浴槽用手摺製品を選択可能に用意しておけば良い。
【００３１】
あるいは、取付本体部自身に外板と内板の間隔を調整できる構成を備えておけば、共通の部品で製造された１種の浴槽用手摺製品でありながら広範な厚みの異なる各種浴槽に適用でき、設計、製造も簡便となる。
【００３２】
即ち、取付本体部を、外板と内板とを互いに分離可能に連結される連結部を備えた構成とし、この連結部に、外板と内板の上部同士の連結位置を変更できる連結調節機構を設けておけば良い。この連結調節機構としては、例えば、外板と内板の上部に各々延設されて互いに上下に重なる外板連結板および内板連結板に、複数個のネジ孔を前記間隔方向へ所定間隔で列設し、両連結板が重なった状態で互いに合致した上下のネジ孔に連結ボルトを螺合することによって両連結板同士を連結するものが簡便な構成としてあげられる。
【００３３】
このような連結調節機構では、外板連結板と内板連結板とを上下に重ねた状態で前記間隔方向に沿って外板と内板とが互いに近接する方向に摺動させて上下のネジ孔を合致させて連結ボルトを螺合固定すれば、取付本体部の前記間隔を狭く調整でき、比較的厚みの薄い浴槽側壁に対してハンドル回転による押圧板の移動距離が適度に小さくて済むように設定しておくことができるので、浴槽用手摺の着脱操作を容易にすることができる。さらに、押圧板の移動距離を極力小さくすることによって、取付本体部の浴槽側壁固定状態において、入浴の邪魔になるような浴槽内壁面から湯船内側への内板およびハンドルの突出分も少なく抑えられることになる。
【００３４】
逆に、両連結板を、外板と内板とが互いに離反する方向に摺動させて上下のネジ孔を合致させ連結ボルトで螺合固定すれば、取付本体部の前記間隔を広めに調整でき、比較的厚みの大きい浴槽側壁に対する浴槽用手摺の着脱操作を容易にすることができる。
【００３５】
また、本発明における外板と内板の連結は、上記のような外板連結板と内板連結板とを直接連結する構成に限らず、例えば、別体の第３の連結板を介して外板と内板とを連結するあるいは外板連結板と内板連結板とを連結するという構成も可能である。
【００３６】
また、本浴槽用手摺において取付本体部に装着される手摺部材としては、種々のものが挙げられるが、入浴者が浴槽内に跨ぎ入る際に掴まって体を支えられるように、取付本体部が浴槽側壁に対して取付固定が完了した状態において浴槽側壁上縁部の上方に位置付けられる把持部を備えたものが簡単な設計でありながらも手摺として効果的な構成である。
【００３７】
この場合、把持部を支持し取付本体部へ装着される手摺部材の支持部は、浴槽外で浴槽に蓋を被せるのに邪魔にならないものであることが好ましい。それには、取付本体部の手摺部材装着部を浴槽側壁の外側に位置する外板に設けるのが好適である。また、この装着部は、実際に手摺の必要な入浴者に応じて掴まりやすいように把持部の高さ位置を調節できるものとするのが望ましい。
【００３８】
さらに、手摺部材の装着は、一つの部材を装着する構成に限らず、例えば、入浴者が両手で掴まれるように二つの手摺部材を取り付ける場合もある。この様な場合、装着部を取付本体部の外板だけでなく、取付本体部の頭頂部、即ち、外板と内板の連結板やその上に別の装着部を取り付けて手摺部材を装着する構成も考えられる。
【００３９】
従って、手摺部材が使用状態で装着されたままでは風呂蓋を閉められないこともあるため、手摺部材の装着部自体を移動できる構成とする、あるいはまた取付本体部に複数箇所の装着部を設け、装着箇所を選択できる構成としても良い。
【００４０】
また、内板に浴槽内用取っ手をさらに備えておけば、入浴者は体の一部を湯船から出すことなく入浴中も体を支えることができる。この取っ手も、向きや位置が変更できるように内板に複数箇所の取付部を設ける構成としても良い。
【００４１】
【実施例】
本発明の一実施例として、金属製キャップナットをインサート成形により内部に収容固定してなるナット部を有するハンドルを用いた浴槽用手摺を図１〜図３に示す。
【００４２】
図１は、本実施例による浴槽用手摺の概略全体構成図であり、（ａ）は側面図、（ｂ）は正面図である。図２は、本浴槽用手摺の固定機構を説明する取付本体部の断面模式図である。図３は、本浴槽用手摺を上方から見た平面図である。
【００４３】
本浴槽用手摺は、互いに略平行に対面するように上部が連結された外板１と内板２とで側断面形状が下向き略コの字状に構成される取付本体部１０が浴槽側壁の上縁に嵌められて浴槽側壁に固定されるものであり、この取付本体部１０が浴槽側壁に固定された状態で浴槽側壁の上縁部よりも上方に把持部２５が位置するように手摺部材２３の支持部２４が外板１に設けられた装着部２１に装着されるものである。
【００４４】
本実施例における取付本体部１０の固定機構は、浴槽側壁の外壁面に当接する外板１と、該外板１との間で浴槽側壁を挟持するように浴槽側壁の内壁面を押圧する押圧板３とによって主に構成される。この押圧板３には、一端側で内板２を貫通する押圧板支持用ネジ部材４の他端側が内板２に対面する押圧板裏面に略垂直に取り付けられている。これによって押圧板３は、その表面側が外板１と対面状態で内板２に支持されるものである。
【００４５】
また、内板２の外側には、ハンドル６がリング状の係止部材８を介して回転自在に取り付けられている。係止部材８は、幅広の内側外周部が内板２の内面に当接係止する状態で、ネジ部材４の一端側が貫通する内板２の貫通孔内周に内側から挿通されており、貫通孔から突出している外側部分にハンドル６が嵌合して固定ピン７で固定されている。
【００４６】
よって、ハンドル６は、内板２面に対して直交する方向を回転軸中心として回り、ハンドル６と共に回転する係止部材８によって軸方向への移動が規制されるものである。即ち、ハンドル６は常に内板２に接したまま回転し、湯船内側への突出分としてのハンドル高さはこれ以上増えることはない。
【００４７】
このハンドル６の内部に一体成形により収容固定されているナット部５は、内板２を貫通して突出するネジ部材４の一端側を受け入れて螺合する雌ネジ孔９が形成されており、ハンドル６が回されるとこれと一体に回転し、螺合するネジ部材４を相対的に螺進退させて押圧板３を外板１に対して近接方向或いは離反する方向へ移動させる。
【００４８】
従って、取付本体部１０を浴槽側壁の上縁部に嵌めこみ、外板１を浴槽側壁の外壁面に当接させた状態でハンドル６を回すことによって、押圧板３を浴槽側壁の内壁面に向けて移動させることができ、押圧板３を該内壁面に当接させ、外板１との間で浴槽側壁を挟持するように押圧するまでハンドル６を回すだけで、取付本体部１０の浴槽側壁への取付固定が完了する。また、ハンドル６を逆向に回せば、押圧板３は前記内壁面から離反する方向へ移動させられて挟持固定状態が解除され、取付本体部１０を浴槽側壁から取り外すことができる。
【００４９】
本実施例の浴槽用手摺においては、ナット部５はハンドル６の内部に一体成形によって固定されており、ハンドル６と一体に回転するものであるため、従来のハンドルとナットを連結ピンで連結させていた場合のようにハンドルを回してナットを回転させる際に負荷が集中して破損が生じ易い介在部品がなく、ハンドル６とナット部５との間にガタツキが生じたり両部材の連結が断絶してハンドル６が空回りする故障も避けられる。
【００５０】
また本実施例においては、ナット部５が、内板２を貫通したネジ部材４の一端側の最大突出長以上の軸長に設定されている雌ネジ孔９を備えたキャップナット形状を有するものであるため、ネジ部材４の突出部分は全てナット部６の雌ネジ孔９内で受け入れられ、ハンドル６の内部にナット周辺でネジ部材４を受け入れるための空洞部などのような水が溜まり易い空間はない。従って、本実施例の浴槽用手摺では、従来このような水が溜まる空間があることによって、ナット部５やネジ部材４等の金属部品を錆を生じさせ易くしていた原因が排除されるものとなる。
【００５１】
以上のように、本実施例による浴槽用手摺においては、取付本体部１０の固定機構を構成するハンドル６、ナット部５およびネジ部材４等が従来のものに比べて故障や錆びなどが生じ難い長期の使用に耐えるものであり、浴槽用手摺製品自体の寿命の長期化に寄与するものである。
【００５２】
さらに本浴槽用手摺では、ナット部５に形成された雌ネジ孔９は、その軸長がネジ部材４の内板２を貫通して突出する一端側の最大突出長以上に設定されているため、ネジ部材４は突出部全体が雌ネジに接して螺合できるので、ネジ部材４のナット部５に対する螺進退は常に滑らかに進行する。よって浴槽側壁を押圧挟持するためのハンドル６の回転による押圧板３の移動調整は、非常にスムーズに行われる。
【００５３】
なお、本実施例では、ネジ部材４の他端側の押圧板３への取り付けは、ビスＢを介したものとした。このビスＢは、そのビス頭が押圧板３のほぼ中央部に形成されている凹部内に位置するように押圧板３をネジ部材４の他端部にビス止めしており、押圧板３はネジ部材４に対して若干首振りできるような緩みを有するものとした。このため、取付対象である浴槽側壁の上縁部厚みが均一でなく断面略テーパ形状であっても、押圧板３はその形状に応じて傾動しつつ浴槽側壁内壁面に当接でき、外板１との間で良好に押圧挟持できる。
【００５４】
また、浴槽側壁の断面テーパ形状の傾斜角度が比較的大きな場合にも良好な押圧挟持状態がより容易に得られるように、外板１の浴槽壁面対面側に、別の固定用板を若干の首振り傾動ができるように取り付ける構成としても良い。
【００５５】
また、本実施例においては、外板１と内板２にそれぞれその上部直交方向に延設された外板連結板１Ｘおよび内板連結板２Ｙとが上下に重ねられた状態で連結されることによって側断面下向きコの字形状に取付本体部１０が構成されるものであり、外板連結板１Ｘと内板連結板２Ｙとの連結位置を変更して外板１と内板２の間隔を調節するための連結調節機構を備えた。
【００５６】
図２、図３に示すように、外板連結板１Ｘと内板連結板２Ｙとにはそれぞれ同じ所定間隔で複数個のネジ孔（１１，１２）が外内板の間隔方向に列設されており、両連結板（１Ｘ，２Ｙ）が重なった状態で互いに合致した上下のネジ孔（１１，１２）に連結ボルト１３が螺合固定されることによって外板１と内板２とが連結されるものである。
【００５７】
本実施例における連結調節機構とは、これら外板連結板１Ｘと内板連結板２Ｙとで上下に合致させるネジ孔を変更することによって、外板１と内板２との間隔を調節するものである。
【００５８】
即ち、外板１と内板２とが互いに近接する方向に外板連結板１Ｘと内板連結板２Ｙとを相対的にスライドさせて、両連結板の重なり領域がより大きくなる状態で上下のネジ孔（１１，１２）を合致させて連結ボルト１３で螺合固定すれば、外内板間隔は狭く調節でき、逆に外板１と内板２とが互いに離反する方向に外板連結板１Ｘと内板連結板２Ｙとを相対的にスライドさせて、両連結板の重なり領域がより小さくなる状態で上下のネジ孔（１１，１２）を合致させて連結ボルト１３で螺合固定すれば、外内板間隔は広く調節できる。
【００５９】
このような連結調節機構により、本浴槽用手摺は、様々な厚みの各種浴槽側壁に対して広範に適用可能となり、予め固定対象となる浴槽の側壁厚みに応じて外板１と内板２との間隔をその厚みより若干大きい程度に設定しておけば、押圧板３を浴槽内壁面に当接させるまでの移動距離は最小限で済み、ハンドル４の回転による浴槽用手摺の浴槽側壁への固定および取り外しの着脱操作が容易となるだけでなく、押圧板３の移動距離を極力小さくすることによって、取付本体部１０の浴槽側壁固定状態において、入浴の邪魔になるような浴槽内壁面から湯船内側への内板２およびハンドル６の突出分も少なく抑えられる。
【００６０】
以上の構成を備えた取付本体部１０の外板１には、手摺部材２３の支持部２４を装着する装着部２１が形成されている。本実施例の手摺部材２３においては、外形略卵型のリング形状を有する把持部２５を二本の互いに平行な棒状の支持部２４で上方に斜めに支えてなるものとした。
【００６１】
一方、装着部２１は、この二本の支持部２４をそれぞれ掛止し、装着固定するものである。掛止手段としては、例えば、図４の背面図に示すように、掛止ボルト２７を装着部２１に形成された貫通孔を介して支持部２４に形成された掛止ネジ孔２６に螺合させるネジ止め機構が利用できる。本実施例では、掛止ネジ孔２６を、支持部２４の高さ相当の長尺方向に亘って所定間隔毎に複数個設けておき、装着部２１の貫通孔に合致される掛止ネジ孔２６を変更することによって把持部２５の高さ位置を調節できるものとした。
【００６２】
また、本実施例においては、取付本体部１０の内板２に浴槽内用取っ手２２を取り付けた。この取っ手２２は、入浴者が湯船から体の一部を出すことなく掴めるものであり、入浴中も体を支え姿勢を良好に保つことができる。
【００６３】
また、取付本体部１０の浴槽側壁の表面に当接する領域、即ち外板１の内側面や外板連結板１Ｘの下側面、押圧板３の表面側等に、ゴムや樹脂などからなる滑り止めシートＳを貼り付けてある。この滑り止めシートＳの介在により、取付本体部１０の固定状態がより確実になると共に、金属板部材の当接、押圧による浴槽側壁表面への傷付が防止できる。
【００６４】
【発明の効果】
以上説明したように、本発明の浴槽用手摺によれば、取付本体部を固定するためにハンドルを回すと内部に収容されたナット部も一体に回転するものであるため、回転運動の負荷が集中して破損し固定機構に支障を生じさせうるような連結ピンなどの介在部品がないだけ故障が少ないとともに、ハンドル内部に水が溜まるような空洞部がない分、ナット部やネジ部材等の金属部品に錆が生じにくいため、従来にくらべて各部材、機構が長期の使用に耐え、製品の寿命が長期化が可能となるという効果がある。
【図面の簡単な説明】
【図１】本発明の一本実施例による浴槽用手摺の概略全体構成図であり、（ａ）は側面図、（ｂ）は正面図である。
【図２】本浴槽用手摺の固定機構を説明する取付本体部の断面模式図である。
【図３】本浴槽用手摺を上方から見た平面図である。
【図４】本浴槽用手摺の背面図である。
【図５】従来技術による浴槽用手摺の固定機構の一例を示す断面模式図であり、（ａ）は押圧板移動前状態、（ｂ）は押圧板移動後の浴槽側壁の押圧挟持状態を示す模式図である。
【符号の説明】
１：外板
１Ｘ：外板連結板
２：内板
２Ｙ：内板連結板
３：押圧板
４：押圧板支持用ネジ部材
Ｂ：ビス
５：ナット部
６：ハンドル
７：固定ピン
８：掛止部材
９：雌ネジ孔
１０：取付本体部
１１，１２：ネジ孔
１３：連結ボルト
２１：装着部
２２：浴槽内用取っ手
２３：手摺部材
２４：支持部
２５：把持部
２６：掛止ネジ孔
２７：掛止ボルト
Ｓ：滑り止めシート
【図１】
2005007011.tif 000003
【図２】
2005007011.tif 000004
【図３】
2005007011.tif 000005
【図４】
2005007011.tif 000006
【図５】
2005007011.tif 000007